(57)【特許請求の範囲】
【請求項１】
カップ部を有する衣類であって、
一対のカップ部、カップ支持部およびバック部を備え、
前記カップ支持部は、前記一対のカップ部の下縁に取り付けられ、
前記バック部は、前記カップ支持部の脇側に取り付けられ、
前記カップ部は、カップ部の下縁側に、通気性素材で形成された通気部を有し、
前記通気部は、保形性を有するように形成されており、
さらに、芯材を有し、
前記芯材は、前記通気部のバージスライン最下点付近からバストトップ点近傍に向かって延びる仮想線上の少なくとも一部において、前記通気部に、幅方向に亘って設けられていることを特徴とする、カップ部を有する衣類。
【請求項２】
前記通気部の幅の最大部分が、１．０ｃｍ以上であることを特徴とする、請求項１記載のカップ部を有する衣類。
【請求項３】
前記通気部が、剛性を有する素材で形成されていることを特徴とする、請求項１または２記載のカップ部を有する衣類。
【請求項４】
前記通気部が、前記カップ部の前中心側および脇側の２箇所に配置されていることを特徴とする、請求項１から３のいずれか一項に記載のカップ部を有する衣類。
【請求項５】
前記通気性素材が、メッシュ状の布地であることを特徴とする、請求項１から４のいずれか一項に記載のカップ部を有する衣類。
【請求項６】
前記カップ部のバストトップ周辺部に、パッドが装着されていることを特徴とする、請求項１から５のいずれか一項に記載のカップ部を有する衣類。
【請求項７】
前記衣類が、ブラジャーである、請求項１から６のいずれか一項に記載のカップ部を有する衣類。
【発明の詳細な説明】
【技術分野】
【０００１】
本発明は、カップ部を有する衣類に関する。
【背景技術】
【０００２】
夏季などの発汗量の多い時期には、カップ部を有する衣類、例えば、ブラジャーを着用すると、蒸れが生じ易い。前記蒸れは、バスト周辺の中でバージスライン近傍が最も発汗量の多い箇所であり、かつ、バージスラインに沿って設けられたワイヤー部によって湿気が溜められることが原因で生じる。そこで、カップ部の通気性を良くし、蒸れを防ぐための技術として、例えば、カップ部と土台部との間にメッシュ部分を介在させる技術が提案されている（特許文献１、２参照）。
【先行技術文献】
【特許文献】
【０００３】
【特許文献１】特開２００９−５７６４２号公報
【特許文献２】特開２０１１−９９１７６号公報
【発明の概要】
【発明が解決しようとする課題】
【０００４】
しかし、前記技術では、メッシュ部分は、幅が約５ｍｍ程度と狭く、通気性を高める効果が不十分であった。一方、前記メッシュ部分の幅を広げると、着用時にメッシュ部分がよれてしまい、衣類のカップ部付近が変形してしまうため、バストの造形性を保つことができないという問題が生じる。また、メッシュ部分がよれているため、通気性も確保できないという問題があった。また、通気性向上を目的として、カップ部全体をメッシュ素材で形成した場合も、カップ部の形状保持性が十分ではなく、バストの造形性を確保することができなかった。夏季は薄着になるため、バストのシルエットが特にアウターにひびきやすい。そのため、カップ部を有する衣類には、通気性と造形性との両立が求められる。
【０００５】
そこで、本発明は、通気性が良く涼しい着用感と、バストの造形性との両立を実現可能な、カップ部を有する衣類を提供することを目的とする。
【課題を解決するための手段】
【０００６】
前記目的を達成するために、本発明のカップ部を有する衣類は、
カップ部を有する衣類であって、
一対のカップ部、カップ支持部およびバック部を備え、
前記カップ支持部は、前記一対のカップ部の下縁に取り付けられ、
前記バック部は、前記カップ支持部の脇側に取り付けられ、
前記カップ部は、カップ部の下縁側に、通気性素材で形成された通気部を有し、
前記通気部は、保形性を有するように形成されていることを特徴とする。
【発明の効果】
【０００７】
本発明のカップ部を有する衣類は、前記通気部が保形性を有するため、通気部を広く設けても、バストの造形性を保つことができる。したがって、本発明によれば、発汗量が多い箇所に通気部を広く設けることができ、通気性が良く涼しい着用感を実現することができるとともに、バストの造形性も確保することができる。
【図面の簡単な説明】
【０００８】
【図１】図１は、本発明の第１の実施形態に係るブラジャー１００を示す斜視図である。
【図２】図２は、前記第１の実施形態に係るブラジャー１００のカップ部付近を背面側から見た図である。
【図３】図３は、本発明の第２の実施形態に係るブラジャー２００を示す斜視図である。
【図４】図４（ａ）は、前記第２の実施形態に係るブラジャー２００のカップ部付近を背面側から見た図である。図４（ｂ）は、前記第２の実施形態に係るブラジャー２００の変形例を示す図である。
【図５】図５は、本発明の第３の実施形態に係るブラジャー３００のカップ部付近を背面側から見た図である。
【図６】図６は、本発明の第４の実施形態に係るブラジャー４００のカップ部付近を背面側から見た図である。
【図７】図７は、本発明の第５の実施形態に係るブラジャー５００のカップ部付近を背面側から見た図である。
【図８】図８は、本発明の第６の実施形態に係るブラジャー６００のカップ部付近を背面側から見た図である。
【図９】図９（ａ）（ｂ）は、着用評価におけるバストの形状を示す図である。
【図１０】図１０は、前記第２の実施形態におけるカップ部内の空気の流れを説明する図である。
【図１１】図１１（ａ）（ｂ）は、本発明のカップ部を有する衣類のその他の例である、ブラキャミソールを示す斜視図である。
【発明を実施するための形態】
【０００９】
本発明のカップ部を有する衣類について、例をあげて説明する。ただし、本発明は、以下の例に限定および制限されない。
【００１０】
（第１の実施形態）
図１および図２に、本発明のカップ部を有する衣類の第１の実施形態に係るブラジャー１００を示す。図１は、ブラジャー１００の斜視図であり、図２は、バック部１０３を開いた状態のブラジャー１００の背面図である。
【００１１】
本実施形態のブラジャー１００は、一対のカップ部１０１、一対のカップ支持部１０２、一対のバック部１０３および一対の肩ストラップ１０４を備えた、いわゆる３／４カップタイプのブラジャーである。カップ支持部１０２は、一対のカップ部１０１の下縁に取り付けられ、バック部１０３は、カップ支持部１０２の脇側に取り付けられている。カップ支持部１０２の下縁には、土台部１１０が設けられている。そして、一対のカップ部１０１は、下縁側に、通気性素材で形成された通気部１０５を有する。ここで、「通気性素材」とは、カップ部の他の部分よりも通気性が高い素材をいう。
【００１２】
本実施形態において、通気部１０５を形成する通気性素材は、メッシュ素材である。ただし、本発明において、前記通気性素材は、メッシュ素材に限られず、例えば、メッシュ調に編んだ生地、ダブルラッセル、パワーネット等であってもよい。ここでの通気性とは、圧力を一定にした場合の単位時間・単位面積を通って流れる空気の量のことであり、ＪＩＳ  Ｌ  １０９６：１９９９「一般織物試験方法」に準拠した方法により測定できる。本実施形態に係るブラジャー１００において、通気部１０５の通気性が３００ｃｍ３／ｃｍ２・ｓｅｃ以上であることが好ましい。
【００１３】
本実施形態において、通気部１０５は、剛性を有する素材で形成されている。ここで、「剛性を有する素材」とは、ブラジャーを着用した際に、通気部がよれて通気部の幅が狭くならない程度に剛性のある素材をいう。前記剛性を有する素材としては、例えば、メッシュ調に編んだ生地、ダブルラッセル、パワーネット等があげられる。従来技術では、メッシュ部を設けると、当該メッシュ部は保形性が低くなっていた。しかし、本実施形態では、通気部１０５に前記剛性を有する素材を使用しているため、通気部１０５は、保形性を有する。
【００１４】
本実施形態において、通気部の幅の最大部分は、１．０ｃｍ以上であることが好ましく、より好ましくは、１．５ｃｍ〜３．０ｃｍであり、さらに好ましくは、２．０ｃｍ〜２．５ｃｍである。ここで、「幅」とは、着用時における上下方向に亘る幅を意味する。従来技術では、例えばメッシュ部を広く設けると、メッシュ部がよれてしまい、保形性を保つことができないという問題があった。しかし、本実施形態では、前記のとおり、通気部１０５は剛性を有する素材で形成されているため、通気部１０５を広く設けても、保形性を保つことができる。これにより、通気部１０５を広く設けることができ、通気性を高めることができる。
【００１５】
本実施形態において、通気部１０５と、通気部以外のカップ部１０１とは、異なる素材を使用することができる。通気部以外のカップ部１０１に、造形性の高い素材を使用すれば、カップ部１０１の造形性を高めることができ、好ましい。通気部以外のカップ部１０１に使用できる素材としては、例えば、不織布、ウレタンフォーム、ダブルラッセル等があげられる。バスト周辺の中で、バージスライン近傍が、最も発汗量が多く、湿気が溜まる箇所である。このため、例えば、バストトップ周辺部には通気性がなくとも、バスト下部に通気性があれば、涼しい着用感を得ることができる。
【００１６】
本実施形態において、カップ部１０１の肌側と反対側は、例えば、レース部材で覆ってもよい。これにより、通気部１０５の通気性を確保しつつ、カップ部１０１に装飾を施すことができるため、好ましい。
【００１７】
本実施形態のブラジャーでは、連結係止部として、ホック（例えば、フック・アンド・アイ（鈎ホック））を使用することができるが、他の種類の係止具を使用してもよい。また、バック部１０３が連結係止部を有していなくてもよい。例えば、連結係止部を前中心に設けてフロントホックタイプとしてもよい。また、連結係止部がないタイプ、バック部を結んで係止するタイプであってもよい。
【００１８】
前記連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００１９】
本実施形態においては、肩ストラップ１０４の一端はカップ部１０１に取り付けられ、他端はバック部１０３の上辺部に取り付けられた円環、Ｚ環、エイト環などの係止具１０８Ａを通って反転し、エイト環からなる長さ調節具１０８Ｂに導入されることによって、肩ストラップ１０４の長さ調整が可能な状態で、肩ストラップ１０４の他端側が、バック部１０３の上辺部に取り付けられている。また、肩ストラップ１０４の一端は、バック部１０３の上辺部に直接固着されても良い。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。また、本発明は、肩ストラップ１０４を有しない、ストラップレスの形態とすることもできる。
【００２０】
なお、本実施形態では、ブラジャー１００は、土台部１１０を介して、左右のカップ支持部１０２が連結されるとともに、カップ支持部１０２とバック部１０３とが連結されている例を挙げて説明した。しかし、本発明は、これに限定されるものではない。例えば、土台部１１０を備えない、いわゆるメガネタイプのブラジャーとしてもよい。より具体的には、バック部１０３がカップ支持部１０２に直接連結されるように前方へ延び、左右のカップ支持部１０２の前中心側部分同士を連結する連結部材を別途備える態様とすることができる。
【００２１】
以上、第１の実施形態としては、３／４カップのブラジャーを例示して説明したが、本発明は、フルカップや１／２カップのブラジャー等にも適用することができる。また、本発明は、カップ支持部１０２にワイヤーを有さないノンワイヤータイプとすることもできる。
【００２２】
（第２の実施形態）
図３および図４（ａ）に、本発明のカップ部を有する衣類の第２の実施形態に係るブラジャー２００を示す。図３は、ブラジャー２００の斜視図、図４（ａ）は、バック部１０３を開いた状態のブラジャー２００の背面図である。図３および図４（ａ）において、図１および図２と同一の部分には同一の符号を付している。
【００２３】
本実施形態において、ブラジャー２００は、カップ部１０１のバストトップからバージスラインの最下点にかけて、芯材２０６を有する。このように、芯材２０６は、通気部２０５の幅方向に亘って設けられている。
【００２４】
図１０に、本実施形態におけるカップ部内の空気の流れを説明する図を示す。図１０は、着用状態におけるカップ部およびバストを横から見た模式図である。図１０において、上段は、通気部に芯材がない場合、下段は、通気部に芯材がある場合を示す。図１０の上段に示すように、通気部に芯材がない場合、バストが最も上がった際に、通気部もバストとともに持ち上がるので、カップ部内に空気が入らず、空気の流れが生じない。これに対し、通気部に芯材がある場合、カップ部の突出が保たれる。そのため、図１０下段に示すように、バストが最も上がった際に、バストと通気部との間に空間（図中斜線部）ができ、その空間に空気が取りこまれる。そして、前記空気が取りこまれた状態で、バストが下に下がった時、取りこまれた空気がカップ上部および通気部から抜けて、空気の流れが生じる。この空気の流れが繰り返され、カップ部内の空気が流れることによって、涼しい着用感となる。
【００２５】
芯材２０６は、例えば、芯地、テープ状部材、可撓性を有する樹脂または金属等により形成することができる。また、本発明において、芯材は、生地の折り返し、またはパイピングなどで形成することができる。
【００２６】
本実施形態において、芯材２０６は、前記のとおり、バストトップからバージスラインの最下点にかけて設けられているが、本発明はこれに限られない。本発明において、芯材は、通気部のバージスライン最下点付近からバストトップ点近傍に向かって延びる仮想線上の少なくとも一部に設けられていればよく、通気部２０５の部分のみに、幅方向に亘って設けられていてもよい。また、本実施形態では、芯材２０６は、バージスラインの最下点に設けられているが、本発明はこれに限られず、バージスラインの最下点付近であればよい。
【００２７】
図４（ｂ）は、前記第２の実施形態に係るブラジャー２００の変形例を示す図である。図４（ｂ）に示すように、芯材２０６は、芯地またはテープ状部材等をバストトップからバージスラインの最下点付近にかけて設け、さらに、前記芯地とカップ部との間に可撓性を有する樹脂または金属等（図中破線部）を挿入して形成してもよい。この場合、前記挿入する金属等は、バストトップまで延びない長さであることが好ましい。
【００２８】
本実施形態において、通気部２０５は、第１の実施形態同様に剛性を有する素材で形成されていてもよいが、剛性を有さなくてもよい。本実施形態では、通気部２０５を構成する素材が柔軟な通気性素材であっても、芯材２０６に支えられることで、通気部２０５は保形性を保持することができ、よれにくくなる。
【００２９】
本実施形態において、通気部２０５の幅は、前中心側から脇側にかけて一定でもよいが、一定でなくてもよい。例えば、通気部２０５が剛性を有する素材で形成されていない場合には、カップ部の前中心側は、カップ部の造形性に影響を与えやすい部分であることから、通気部２０５の前中心側の幅は、脇側の幅に比べて狭い方が好ましい。
【００３０】
以上のように、本発明において、通気部の保形性は、芯材を設けることによっても実現できる。したがって、実現したい着用感およびデザインに応じて、通気部への保形性の持たせ方を工夫することができる。
【００３１】
（第３の実施形態）
図５に、本発明のカップ部を有する衣類の第３の実施形態に係るブラジャー３００を示す。図５は、バック部１０３を開いた状態のブラジャー３００の背面図である。
【００３２】
本実施形態において、ブラジャー３００は、芯材３０６を有し、芯材３０６は、通気部３０５の前中心側および脇側に、通気部３０５の幅方向に亘って設けられている。その他は、前記第２の実施形態と同様である。
【００３３】
本実施形態において、芯材３０６が通気部３０５の前中心側および脇側を支えているため、通気部３０５は、保形性を有することができ、よれにくくなる。なお、本実施形態では、芯材３０６は、通気部３０５の前中心側および脇側の両方に設けられているが、本発明はこれに限られず、前中心側または脇側のどちらかのみに設けられていてもよい。芯材３０６が通気部３０５の脇側のみに設けられている場合、通気部３０５は、前中心側の幅が、脇側の幅よりも狭く形成されていることが、保形性の点から好ましい。また、芯材３０６は、通気部３０５の前中心側、脇側のみではなく、さらに、バージスラインの最下点付近にも設けられていてもよい。
【００３４】
（第４の実施形態）
図６に、本発明のカップ部を有する衣類の第４の実施形態に係るブラジャー４００を示す。図６は、バック部１０３を開いた状態のブラジャー４００の背面図である。
【００３５】
本実施形態において、通気部４０５は、カップ支持部１０２の前中心側から脇側に掛け渡されて設けられている。そして、通気部４０５の上辺には、パイピング始末により芯材４０６が形成され、通気部４０５は、カップ支持部１０２と芯材４０６とで囲まれている。
【００３６】
本実施形態において、通気部４０５の前中心側端部は、カップ支持部１０２の前中心端部から１．０ｃｍ〜２．０ｃｍの範囲に配置されることが好ましく、より好ましくは、１．５ｃｍ〜２．０ｃｍである。また、通気部４０５の脇側端部は、カップ支持部１０２の脇側端部から２．０ｃｍ〜３．０ｃｍの範囲に配置されることが好ましく、より好ましくは、２．５ｃｍ〜３．０ｃｍである。
【００３７】
このように、通気部４０５の周囲を芯材で囲むことによって、通気部４０５に保形性を持たせることができる。本実施形態では、通気部４０５は、カップ支持部１０２の前中心側から脇側に掛け渡されて設けられているが、本発明はこれに限られない。通気部４０５は、例えば、前記第１の実施形態におけるブラジャー１００の通気部１０５と同様の形状であっても良く、この場合、通気部の上辺および両側辺を囲むように、芯材が設けられる。本実施形態によれば、通気部内に芯材が存在しないため、よりやわらかい着用感を実現することができる。
【００３８】
（第５の実施形態）
図７に、本発明のカップ部を有する衣類の第５の実施形態に係るブラジャー５００を示す。図７は、バック部１０３を開いた状態のブラジャー５００の背面図である。
【００３９】
本実施形態において、通気部５０５は、カップ部１０１の前中心側および脇側の２箇所に配置されている。
【００４０】
本実施形態において、通気部５０５は、アーチ状に設けられている。ここで、「アーチ状」とは、上方向に凸状となる曲線形状をいう。そして、通気部５０５の上辺には、パイピング始末により芯材５０６が形成されている。本実施形態においては、カップ部１０１の素材が、例えば、モールドのように形状保持性が高いものの場合、通気部５０５の間の部分（アーチの間の部分）が芯材としての機能を有するため、より保形性が高まる。
【００４１】
このように、通気部の形状は、実現したいデザインに応じて、工夫することができる。
【００４２】
（第６の実施形態）
図８に、本発明のカップ部を有する衣類の第６の実施形態に係るブラジャー６００を示す。図８は、バック部１０３を開いた状態のブラジャー６００の背面図である。
【００４３】
本実施形態において、カップ部１０１のバストトップ周辺部には、パッド６０７が装着されている。その他は、前記第１の実施形態と同様である。
【００４４】
本実施形態において、カップ部１０１の肌側のバストトップ周辺部には、パッド受けが設けられ、パッド６０７が挿入可能となっている。本実施形態において、パッド受けには、その開口部から、パッド６０７が挿入される。そして、パッド６０７は、パッド受けに縫着されることなく、出し入れ自在になっている。これにより、個人の体型に合わせて、最も好ましい補整効果を与える厚さ、大きさまたは硬さのパッドを選択使用することができる。なお、本発明は、パッドがあらかじめパッド受けに取り付けられている形態にすることも可能である。また、本発明において、パッドの大きさは特に制限されず、カップ部肌側において、パッドが通気部の一部を覆っていてもよい。ここでは、第１の実施形態に係るブラジャー１００にパッドが装着されている場合について説明したが、本発明はこれに限定されず、他の実施形態に係るブラジャーにパッドが装着されていてもよい。また、本発明は、カップ部１０１をバストトップ周辺部に厚みを持たせたモールド成形としてもよい。
【００４５】
（着用客観評価）
図４（ｂ）に示すタイプの本発明の実施形態２の変形例に係るブラジャー２００を作製し、着用評価を行った。図９は、前記ブラジャー２００、および、カップ部と土台部との間にメッシュ部分を介在させた従来品のブラジャーＡについて、それぞれ同一のモニターが着用した状態で写真撮影し、モアレ干渉縞による立体的な造型性を等高線で示した結果の図である。図９において、（ａ）が本発明のブラジャー２００、（ｂ）が従来品のブラジャーＡでの結果であり、それぞれ、上段は正面から撮影した結果、下段は側方向から撮影した結果である。図９中の横線は、バストトップ位置の比較のために付加しており、本発明のブラジャー２００を着用した場合のバストトップを結ぶ線である。
【００４６】
図９の上段について比較すると、本発明に係るブラジャー２００着用時の方が、従来品のブラジャーＡ着用時と比べ、バストトップ位置が高くなっていることがわかる。また、ブラジャー２００着用時の方が、ブラジャーＡ着用時よりも、バストトップ間の距離が短くなっており、バストを前中心側に寄せる効果が得られていることがわかる。次に、図９の下段について比較すると、ブラジャー２００着用時の方が、ブラジャーＡ着用時と比べ、バストトップ位置が高くなっていることがわかる。また、ブラジャー２００着用時の方が、ブラジャーＡ着用時と比べ、バストシルエットが身体の前方向に突出していることがわかる。これにより、本発明に係るブラジャーは、造形性を実現できることがわかった。
【００４７】
（着用主観評価）
図４（ｂ）に示すタイプの本発明の実施形態２の変形例に係るブラジャー２００を作製し、着用評価を行った。モニターは、バストサイズがＣ７０の７名とした。モニターには、室温３３℃、湿度７０％の環境下で、踏み台昇降運動をしてもらった。また、比較例として、同じモニター７名に、前記ブラジャーＡ、および、カップ部全体がメッシュ素材で形成されている従来品のブラジャーＢを着用してもらい、前記と同様の条件下で運動をしてもらった。
【００４８】
その結果、ブラジャーＡと比較した場合、７名中５名が、本発明に係るブラジャー２００の方が涼しいと回答し、７名中２名が、両者は同等の涼しさであると回答した。ブラジャーＡの方が涼しいと回答した者はいなかった。また、ブラジャーＢと比較した場合、７名中５名が、本発明に係るブラジャー２００の方が涼しいと回答し、７名中２名が、両者は同等の涼しさであると回答した。ブラジャーＢの方が涼しいと回答した者はいなかった。
【００４９】
また、本発明に係るブラジャー２００について、モニターにコメントを求めたところ、「カップ下から風が通り抜ける」、「カップ下側が涼しい」、「カップの風の通りを感じやすい」、「カップ下あたりから風が抜けて暑くなりにくい」という回答が得られた。これにより、本発明に係るブラジャーは、涼しい着用感であることが確認できた。
【００５０】
（第７の実施形態）
図１１（ａ）に、本発明のカップ部を有する衣類のその他の例として、ブラキャミソール７００の斜視図を示す。
【００５１】
このブラキャミソール７００のブラジャー相当部分は、図１で説明したブラジャー１００とほぼ同一の概念のもとに設計されている。本実施形態においては、ブラキャミソール７００が、土台部１１０の下側に、身頃７０１を有している。本実施形態では、身頃７０１が本発明におけるバック部を兼ねている。バック部を別途設けてその下に身頃７０１を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００５２】
（第８の実施形態）
図１１（ｂ）に、本発明のカップ部を有する衣類のその他の例として、ブラキャミソール８００の斜視図を示す。このブラキャミソール８００は、キャミソールの身頃内側にブラジャー相当部分が設けられており、前記ブラジャー相当部分は、図１で説明したブラジャー１００とほぼ同一の概念のもとに設計されている。本実施形態においては、ブラキャミソール８００は、ブラジャー相当部分を覆うように身頃８０１を有している。また、バック部１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本実施形態の構成にすることにより、カップ部１０１のデザインにかかわらず、着用時の外観のバリエーションを多様にすることができる。また、カップ部１０１を、よりアウターにひびかなくすることもできる。本実施形態の構成によれば、従来のブラジャー相当部分を有するブラキャミソールよりも涼しい着用感を実現することができる。
【００５３】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、水着、レオタード、カップ付きタンクトップ、その他各種のカップ部を有する衣類に適用できる。また、前中心を係脱自在のホックで連結するフロントホックタイプの衣類にも適用できる。また、カップ支持部にワイヤーを有しないノンワイヤータイプの衣類にも適用できる。また、肩ストラップを有しないストラップレスタイプの衣類にも適用できる。
【産業上の利用可能性】
【００５４】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００５５】
１００、２００、３００、４００、５００、６００  ブラジャー（カップ部を有する衣類）
１０１  カップ部
１０２  カップ支持部
１０３  バック部
１０４  肩ストラップ
１０５、２０５、４０５、３０５、４０５、５０５  通気部
２０６、３０６、４０６、５０６  芯材
６０７  パッド
１０８ａ  円環係止具
１０８ｂ  長さ調節具
１１０  土台部
７００、８００  ブラキャミソール
７０１、８０１  身頃
【図１】
0005945859.tif 000002
【図２】
0005945859.tif 000003
【図３】
0005945859.tif 000004
【図４】
0005945859.tif 000005
【図５】
0005945859.tif 000006
【図６】
0005945859.tif 000007
【図７】
0005945859.tif 000008
【図８】
0005945859.tif 000009
【図９】
0005945859.tif 000010
【図１０】
0005945859.tif 000011
【図１１】
0005945859.tif 000012